(57)【要約】【課題】商用電源の瞬間的な電圧低下の対策を安価に実現可能な動力設備システムを得る。【解決手段】設定周期ごとに電磁接触器の接点がＯＮであるかＯＦＦであるかを接点状態としてメモリに記憶し、不足電圧継電器からの異常信号が入力された場合、メモリに記憶されている接点状態に基づいて、メモリに記憶されている接点状態がＯＮの場合には、電磁接触器の接点をＯＦＦからＯＮへ切り替え、メモリに記憶されている接点状態がＯＦＦの場合には、電磁接触器の接点をＯＦＦのままにしておくように構成されている。【選択図】図１
2018007353.tif 000002
【特許請求の範囲】
【請求項１】
商用電源と、
前記商用電源に接続されている第１の変圧器および第２の変圧器と、
前記商用電源の電圧低下が発生することで、前記商用電源から前記第２の変圧器を介して入力される入力電圧が正常状態から異常状態へ変化した場合、異常信号を出力する不足電圧継電器と、
接点がＯＮの場合には、前記商用電源からの前記第１の変圧器を介した動力設備への電力供給を行い、前記接点がＯＦＦの場合には、前記電力供給を遮断する電磁接触器と、
設定周期ごとに前記電磁接触器の前記接点がＯＮであるかＯＦＦであるかを接点状態としてメモリに記憶し、前記不足電圧継電器からの前記異常信号が入力された場合、前記メモリに記憶されている前記接点状態に基づいて前記電磁接触器を制御する制御装置と、
を備え、
前記制御装置は、
前記メモリに記憶されている前記接点状態がＯＮの場合には、前記電磁接触器の前記接点をＯＦＦからＯＮへ切り替え、
前記メモリに記憶されている前記接点状態がＯＦＦの場合には、前記電磁接触器の前記接点をＯＦＦのままにしておく
動力設備システム。
【請求項２】
商用電源と、
前記商用電源に接続されている第１の変圧器および第２の変圧器と、
前記商用電源の電圧低下が発生することで、前記商用電源から前記第２の変圧器を介して入力される入力電圧が正常状態から異常状態へ変化した場合、異常信号を出力する不足電圧継電器と、
接点がＯＮの場合には、前記商用電源からの前記第１の変圧器を介した動力設備への電力供給を行い、前記接点がＯＦＦの場合には、前記電力供給を遮断する電磁接触器と、
を備えた動力設備システムの制御方法であって、
設定周期ごとに前記電磁接触器の前記接点がＯＮであるかＯＦＦであるかを接点状態としてメモリに記憶し、前記不足電圧継電器からの前記異常信号が出力された場合、前記メモリに記憶されている前記接点状態に基づいて前記電磁接触器を制御するステップを備え、
前記電磁接触器を制御するステップでは、
前記メモリに記憶されている前記接点状態がＯＮの場合には、前記電磁接触器の前記接点をＯＦＦからＯＮへ切り替え、
前記メモリに記憶されている前記接点状態がＯＦＦの場合には、前記電磁接触器の前記接点をＯＦＦのままにしておく
動力設備システムの制御方法。
【発明の詳細な説明】
【技術分野】
【０００１】
本発明は、商用電源から供給される電力によって駆動する動力設備を備えた動力設備システムおよび動力設備システムの制御方法に関するものである。
【背景技術】
【０００２】
従来、ビルの動力設備の駆動中において、ビルに引き込まれている商用電源の電圧が瞬間的に低下することで、動力設備に接続されている電磁接触器が励磁状態から解磁状態になって、電磁接触器の接点がＯＮからＯＦＦに切り替わり、その結果、動力設備への電力供給が遮断されてしまう。
【０００３】
そこで、このような商用電源の瞬間的な電圧低下が発生することに起因する不具合を解消するための技術として、さまざまなものが提案されている（例えば、特許文献１、２参照）。また、商用電源の瞬間的な電圧低下の対策として、動力設備に接続されている電磁接触器として遅延釈放式の電磁接触器を用いたり、電磁接触器にバッテリを接続したりしている。
【先行技術文献】
【特許文献】
【０００４】
【特許文献１】特開平２−２３２７０１号公報
【特許文献２】特開昭６３−４３５２１号公報
【発明の概要】
【発明が解決しようとする課題】
【０００５】
ここで、従来技術においては、商用電源の瞬間的な電圧低下の対策として、動力設備に接続されている電磁接触器として遅延釈放式の電磁接触器を用いたり、電磁接触器にバッテリを接続したりしているので、動力設備システム全体のコストアップにつながる。したがって、商用電源の瞬間的な電圧低下の対策を安価に実現可能な動力設備システムが求められている。
【０００６】
本発明は、上記のような課題を解決するためになされたものであり、商用電源の瞬間的な電圧低下の対策を安価に実現可能な動力設備システムおよび動力設備システムの制御方法を得ることを目的とする。
【課題を解決するための手段】
【０００７】
本発明における動力設備システムは、商用電源と、商用電源に接続されている第１の変圧器および第２の変圧器と、商用電源の電圧低下が発生することで、商用電源から第２の変圧器を介して入力される入力電圧が正常状態から異常状態へ変化した場合、異常信号を出力する不足電圧継電器と、接点がＯＮの場合には、商用電源からの第１の変圧器を介した動力設備への電力供給を行い、接点がＯＦＦの場合には、電力供給を遮断する電磁接触器と、設定周期ごとに電磁接触器の接点がＯＮであるかＯＦＦであるかを接点状態としてメモリに記憶し、不足電圧継電器からの異常信号が入力された場合、メモリに記憶されている接点状態に基づいて電磁接触器を制御する制御装置と、を備え、制御装置は、メモリに記憶されている接点状態がＯＮの場合には、電磁接触器の接点をＯＦＦからＯＮへ切り替え、メモリに記憶されている接点状態がＯＦＦの場合には、電磁接触器の接点をＯＦＦのままにしておくものである。
また、本発明における動力設備システムの制御方法は、商用電源と、商用電源に接続されている第１の変圧器および第２の変圧器と、商用電源の電圧低下が発生することで、商用電源から第２の変圧器を介して入力される入力電圧が正常状態から異常状態へ変化した場合、異常信号を出力する不足電圧継電器と、接点がＯＮの場合には、商用電源からの第１の変圧器を介した動力設備への電力供給を行い、接点がＯＦＦの場合には、電力供給を遮断する電磁接触器と、を備えた動力設備システムの制御方法であって、設定周期ごとに電磁接触器の接点がＯＮであるかＯＦＦであるかを接点状態としてメモリに記憶し、不足電圧継電器からの異常信号が出力された場合、メモリに記憶されている接点状態に基づいて電磁接触器を制御するステップを備え、電磁接触器を制御するステップでは、メモリに記憶されている接点状態がＯＮの場合には、電磁接触器の接点をＯＦＦからＯＮへ切り替え、メモリに記憶されている接点状態がＯＦＦの場合には、電磁接触器の接点をＯＦＦのままにしておくものである。
【発明の効果】
【０００８】
本発明によれば、商用電源の瞬間的な電圧低下の対策を安価に実現可能な動力設備システムおよび動力設備システムの制御方法を得ることができる。
【図面の簡単な説明】
【０００９】
【図１】本発明の実施の形態１における動力設備システムを示す構成図である。
【図２】図１の不足電圧継電器の動作を説明するための説明図である。
【図３】図１の制御装置によって実行される接点状態記憶処理を示すフローチャートである。
【図４】図１の制御装置によって実行される接点制御処理を示すフローチャートである。
【発明を実施するための形態】
【００１０】
以下、本発明による動力設備システムおよび動力設備システムの制御方法を、好適な実施の形態にしたがって図面を用いて説明する。なお、図面の説明においては、同一部分または相当部分には同一符号を付し、重複する説明を省略する。また、本発明は、例えば、商用電源から電力が供給されるビルの動力設備に適用することができる。
【００１１】
実施の形態１．
図１は、本発明の実施の形態１における動力設備システムを示す構成図である。図１における動力設備システムは、商用電源１と、商用電源１に接続されている第１の変圧器２および第２の変圧器３と、第２の変圧器３に接続されている不足電圧継電器４と、第１の変圧器２に接続されている遮断器５と、遮断器５に接続されている電磁接触器６と、制御装置７と、電磁接触器６に接続されている、例えば空調機器、照明機器、排水・給水ポンプ、ファン等の動力設備８とを備える。
【００１２】
商用電源１は、例えば電圧が６６００Ｖに設定されている一般的な商用電源である。第１の変圧器２は、商用電源１から入力される電圧を例えば２２０Ｖに降圧し、降圧後の電圧を遮断器５に入力する。第２の変圧器３は、商用電源１から入力される電圧を例えば１１０Ｖに降圧し、降圧後の電圧を不足電圧継電器４に入力する。
【００１３】
不足電圧継電器４は、商用電源１の瞬間的な電圧低下を検出するように構成されている。なお、商用電源１の瞬間的な電圧低下が発生する状況としては、例えば、電力会社からの給電が瞬間的に電圧低下するような状況が挙げられる。
【００１４】
不足電圧継電器４は、第２の変圧器３からの入力電圧が設定電圧未満となる状態が第１の設定時間の間継続して、その入力電圧が設定電圧以上となる状態に戻ったとき、第２の設定時間の間、異常信号を制御装置７に送信する。具体的には、不足電圧継電器４は、入力電圧が設定電圧以上の状態である場合には、接点がＯＦＦとなる一方、入力電圧が設定電圧未満の状態が第１の設定時間の間継続して、その入力電圧が設定電圧以上となる状態に戻った場合には、第２の設定時間の間、接点がＯＮとなって異常信号を送信するように構成されている。
【００１５】
なお、第２の変圧器３からの入力電圧が設定電圧未満となる状態を異常状態と称し、第２の変圧器３からの入力電圧が設定電圧以上となる状態を正常状態と称す。
【００１６】
また、設定電圧、第１の設定時間および第２の設定時間の各値は、適宜設計することができるが、不足電圧継電器４を用いて商用電源１の瞬間的な電圧低下を検出することを考慮すると、一例として、各値を以下のように設計すればよい。すなわち、設定電圧は、例えば、商用電源１が正常であるときの第２の変圧器３からの入力電圧に対して５０％の値とすればよい。第１の設定時間は、例えば、０．０１秒とすればよい。第２の設定時間は、例えば、１秒とすればよい。
【００１７】
続いて、不足電圧継電器４について、図２を参照しながらさらに説明する。図２は、図１の不足電圧継電器４の動作を説明するための説明図である。なお、図２では、第１の設定時間を０．０１秒とし、第２の設定時間を１秒とする場合を例示している。
【００１８】
商用電源１の電圧低下が発生することで、図２に示すように、第２の変圧器３からの入力電圧が正常状態から異常状態に切り替わり、その異常状態が０．０１秒間継続する場合を考える。この場合、不足電圧継電器４は、入力電圧の異常状態が０．０１秒間継続したことを検出し、１秒間、異常信号を制御装置７に送信する。
【００１９】
このように、不足電圧継電器４は、商用電源１の電圧低下が発生することで、商用電源１から第２の変圧器３を介して入力される入力電圧が正常状態から異常状態へ変化した場合、異常信号を制御装置７に出力する。
【００２０】
図１の説明に戻り、遮断器５は、回路に短絡等の異常が発生した際、商用電源１からの第１の変圧器２を介した電力供給を遮断することで、配線の異常過熱、焼損等を防止するように構成されている。
【００２１】
電磁接触器６は、制御装置７の制御によってコイル（図示せず）に電圧が印加されると、励磁状態となって接点がＯＮとなる一方、コイルに電圧が印加されていないと、解磁状態となって接点がＯＦＦとなるように構成されている。
【００２２】
電磁接触器６は、接点がＯＮの場合には、商用電源１からの第１の変圧器２を介した動力設備８への電力供給を行う。一方、電磁接触器６は、接点がＯＦＦの場合には、商用電源１からの第１の変圧器２を介した動力設備８への電力供給を遮断する。
【００２３】
商用電源１の電圧低下が発生すると、電磁接触器６は、励磁状態を維持するためにコイルに印加することが必要な電圧を確保することができなくなるので、制御装置７の制御によってコイルに電圧が印加されていても、解磁状態となる。すなわち、商用電源１の電圧低下が発生すると、電磁接触器６は、制御装置７の制御によらず、解磁状態となり、その結果、接点がＯＦＦとなる。
【００２４】
制御装置７は、例えば、メモリに記憶されたプログラムを実行するＣＰＵと、システムＬＳＩ等の処理回路によって実現される。
【００２５】
動力設備８が駆動している間には、動力設備８への電力供給が行われる必要があるので、制御装置７は、電磁接触器６の接点がＯＮとなるように制御する。一方、動力設備８が停止している間には、動力設備８への電力供給が行われる必要がないので、制御装置７は、電磁接触器６の接点がＯＦＦとなるように制御する。
【００２６】
制御装置７は、電磁接触器６の接点がＯＮであるかＯＦＦであるかを接点状態としてメモリ（図示せず）に記憶することで、メモリに記憶する接点状態を書き換えて更新する接点状態記憶処理を、設定周期ごとに実行する。設定周期の値は、適宜設計することができ、例えば、１０秒とすればよい。
【００２７】
また、制御装置７は、不足電圧継電器４から異常信号が入力された場合、商用電源１の瞬間的な電圧低下が発生したと判断し、メモリに記憶されている電磁接触器６の接点状態に基づいて、電磁接触器６の接点を制御する接点制御処理を実行する。
【００２８】
なお、制御装置７は、動力設備８と情報をやり取りすることで、動力設備８の駆動状況を監視するように構成されていてもよい。
【００２９】
次に、制御装置７によって実行される接点状態記憶処理について、図３のフローチャートを参照しながら説明する。図３は、図１の制御装置７によって実行される接点状態記憶処理を示すフローチャートである。なお、図３のフローチャートの処理は、設定周期ごとに実行される。
【００３０】
ステップＳ１１において、制御装置７は、電磁接触器６の現在の接点状態をメモリに記憶して更新し、一連の処理が終了となる。
【００３１】
このように、制御装置７は、電磁接触器６の現在の接点状態をメモリに記憶しておくことで、設定周期ごとに、電磁接触器６の最新の接点状態を監視することができる。また、電磁接触器６の接点がＯＮである場合には、動力設備８が駆動し、電磁接触器６の接点がＯＦＦである場合には、動力設備８が停止していることとなるので、制御装置７は、電磁接触器６の接点状態をメモリに記憶しておくことで、動力設備８が駆動しているか停止しているかを、動力設備８の動作状態として把握することができる。
【００３２】
次に、制御装置７によって実行される接点制御処理について、図４を参照しながら説明する。図４は、図１の制御装置７によって実行される接点制御処理を示すフローチャートである。
【００３３】
ステップＳ２１において、制御装置７は、不足電圧継電器４から異常信号が入力されたか否かを判断する。
【００３４】
不足電圧継電器４から異常信号が入力された場合、制御装置７は、商用電源１の瞬間的な電圧低下が発生したと判断し、処理がステップＳ２２へと進む。一方、不足電圧継電器４から異常信号が入力されていない場合、制御装置７は、商用電源１の瞬間的な電圧低下が発生していないと判断し、ステップＳ２１の処理を再び実行する。
【００３５】
なお、商用電源１の瞬間的な電圧低下が発生した場合、電磁接触器６は、励磁状態であっても、解磁状態へ変化し、その結果、接点がＯＦＦとなる。
【００３６】
ステップＳ２２において、制御装置７は、メモリに現時点で記憶している電磁接触器６の接点状態がＯＮであるか否かを判断する。
【００３７】
メモリに記憶されている電磁接触器６の接点状態がＯＮである場合には、処理がステップＳ２３へと進む。一方、メモリに記憶されている電磁接触器６の接点状態がＯＦＦである場合には、処理がステップＳ２４へと進む。
【００３８】
ステップＳ２３において、制御装置７は、メモリに記憶されている電磁接触器６の接点状態がＯＮであるので、商用電源１の電圧低下が発生する前には、動力設備８が駆動していたと判断し、電磁接触器６の接点をＯＦＦからＯＮへ切り替えることで、動力設備８を再駆動し、一連の処理が終了となる。つまり、商用電源１の電圧低下が発生する前に駆動していた動力設備８を、瞬間的に発生した商用電源１の電圧低下が復旧することに伴って再度駆動させるようにしている。
【００３９】
ステップＳ２４において、制御装置７は、メモリに記憶されている電磁接触器６の接点状態がＯＦＦであるので、商用電源１の電圧低下が発生する前には、動力設備８が停止していたと判断し、電磁接触器６の接点をＯＦＦのままにしておくことで、動力設備８を停止したままとし、一連の処理が終了となる。つまり、商用電源１の電圧低下が発生する前に停止していた動力設備８を、瞬間的に発生した商用電源１の電圧低下が復旧することに伴って駆動させないようにしている。
【００４０】
このように、制御装置７は、商用電源１の電圧低下が発生した場合、商用電源１の電圧低下が発生する前の電磁接触器６の接点状態、すなわちメモリに記憶されている電磁接触器６の接点状態に基づいて、電磁接触器６の接点を制御する。したがって、商用電源１の電圧低下が発生する前に停止していた動力設備８を無駄に駆動させることを防止することができる。
【００４１】
なお、本実施の形態１では、１対１で対応する１台の電磁接触器６と１台の制御装置７を備えて動力設備システムを構成する場合を例示したが、これに限定されず、１対１で対応する１台の電磁接触器６と１台の制御装置７からなる組をＮ（Ｎは２以上の整数）組備えて動力設備システムを構成してもよい。
【００４２】
また、Ｎ台の電磁接触器６と１台の制御装置７を備えて動力設備システムを構成してもよい。この場合、制御装置７は、電磁接触器６ごとに接点がＯＮであるかＯＦＦであるかを接点状態としてメモリに記憶し、不足電圧継電器４からの異常信号が入力された場合、メモリに記憶されている接点状態に基づいてそれぞれの電磁接触器６を個別に制御するように構成される。
【００４３】
以上、本実施の形態１によれば、設定周期ごとに電磁接触器の接点がＯＮであるかＯＦＦであるかを接点状態としてメモリに記憶し、不足電圧継電器からの異常信号が入力された場合、メモリに記憶されている接点状態に基づいて、メモリに記憶されている接点状態がＯＮであれば、電磁接触器の接点をＯＦＦからＯＮへ切り替え、メモリに記憶されている接点状態がＯＦＦであれば、電磁接触器の接点をＯＦＦのままにしておくように構成されている。
【００４４】
動力設備システムにおいて商用電源の瞬間的な電圧低下の対策を実現するにあたって、上記のとおり制御装置による電磁接触器の制御を工夫することで、従来技術のように遅延釈放式の電磁接触器を用いたり電磁接触器にバッテリを接続したりする必要がなくなるので、その結果、商用電源の瞬間的な電圧低下の対策を安価に実現することができる。
【００４５】
また、上記の構成では、さらに、商用電源の電圧低下が発生する前に停止していた動力設備を無駄に駆動させることを防止することができる。
【符号の説明】
【００４６】
１  商用電源、２  第１の変圧器、３  第２の変圧器、４  不足電圧継電器、５  遮断器、６  電磁接触器、７  制御装置、８  動力設備。
【図１】
2018007353.tif 000003
【図２】
2018007353.tif 000004
【図３】
2018007353.tif 000005
【図４】
2018007353.tif 000006
【手続補正書】
【提出日】平成29年5月1日(2017.5.1)
【手続補正１】
【補正対象書類名】明細書
【補正対象項目名】０００７
【補正方法】変更
【補正の内容】
【０００７】
本発明における動力設備システムは、商用電源と、商用電源に接続されている第１の変圧器および第２の変圧器と、商用電源の電圧低下が発生することで、商用電源から第２の変圧器を介して入力される入力電圧が正常状態から異常状態へ変化した場合、異常信号を出力する不足電圧継電器と、接点がＯＮの場合には、商用電源からの第１の変圧器を介した動力設備への電力供給を行い、接点がＯＦＦの場合には、電力供給を遮断する電磁接触器と、動力設備が駆動している間には電磁接触器の接点がＯＮとなり、動力設備が停止している間には電磁接触器の接点がＯＦＦとなるように制御し、設定周期ごとに電磁接触器の接点がＯＮであるかＯＦＦであるかを接点状態としてメモリに記憶し、不足電圧継電器からの異常信号が入力された場合、メモリに記憶されている接点状態に基づいて電磁接触器を制御する制御装置と、を備え、制御装置は、メモリに記憶されている接点状態がＯＮの場合には、電磁接触器の接点をＯＦＦからＯＮへ切り替えることで、動力設備を再駆動し、メモリに記憶されている接点状態がＯＦＦの場合には、電磁接触器の接点をＯＦＦのままにしておくことで、動力設備を停止したままとするものである。
また、本発明における動力設備システムの制御方法は、商用電源と、商用電源に接続されている第１の変圧器および第２の変圧器と、商用電源の電圧低下が発生することで、商用電源から第２の変圧器を介して入力される入力電圧が正常状態から異常状態へ変化した場合、異常信号を出力する不足電圧継電器と、接点がＯＮの場合には、商用電源からの第１の変圧器を介した動力設備への電力供給を行い、接点がＯＦＦの場合には、電力供給を遮断する電磁接触器と、を備えた動力設備システムの制御方法であって、動力設備が駆動している間には電磁接触器の接点がＯＮとなり、動力設備が停止している間には電磁接触器の接点がＯＦＦとなるように制御し、設定周期ごとに電磁接触器の接点がＯＮであるかＯＦＦであるかを接点状態としてメモリに記憶し、不足電圧継電器からの異常信号が出力された場合、メモリに記憶されている接点状態に基づいて電磁接触器を制御するステップを備え、電磁接触器を制御するステップでは、メモリに記憶されている接点状態がＯＮの場合には、電磁接触器の接点をＯＦＦからＯＮへ切り替えることで、動力設備を再駆動し、メモリに記憶されている接点状態がＯＦＦの場合には、電磁接触器の接点をＯＦＦのままにしておくことで、動力設備を停止したままとするものである。
【手続補正２】
【補正対象書類名】特許請求の範囲
【補正対象項目名】全文
【補正方法】変更
【補正の内容】
【特許請求の範囲】
【請求項１】
商用電源と、
前記商用電源に接続されている第１の変圧器および第２の変圧器と、
前記商用電源の電圧低下が発生することで、前記商用電源から前記第２の変圧器を介して入力される入力電圧が正常状態から異常状態へ変化した場合、異常信号を出力する不足電圧継電器と、
接点がＯＮの場合には、前記商用電源からの前記第１の変圧器を介した動力設備への電力供給を行い、前記接点がＯＦＦの場合には、前記電力供給を遮断する電磁接触器と、
前記動力設備が駆動している間には前記電磁接触器の前記接点がＯＮとなり、前記動力設備が停止している間には前記電磁接触器の前記接点がＯＦＦとなるように制御し、設定周期ごとに前記電磁接触器の前記接点がＯＮであるかＯＦＦであるかを接点状態としてメモリに記憶し、前記不足電圧継電器からの前記異常信号が入力された場合、前記メモリに記憶されている前記接点状態に基づいて前記電磁接触器を制御する制御装置と、
を備え、
前記制御装置は、
前記メモリに記憶されている前記接点状態がＯＮの場合には、前記電磁接触器の前記接点をＯＦＦからＯＮへ切り替えることで、前記動力設備を再駆動し、
前記メモリに記憶されている前記接点状態がＯＦＦの場合には、前記電磁接触器の前記接点をＯＦＦのままにしておくことで、前記動力設備を停止したままとする
動力設備システム。
【請求項２】
商用電源と、
前記商用電源に接続されている第１の変圧器および第２の変圧器と、
前記商用電源の電圧低下が発生することで、前記商用電源から前記第２の変圧器を介して入力される入力電圧が正常状態から異常状態へ変化した場合、異常信号を出力する不足電圧継電器と、
接点がＯＮの場合には、前記商用電源からの前記第１の変圧器を介した動力設備への電力供給を行い、前記接点がＯＦＦの場合には、前記電力供給を遮断する電磁接触器と、
を備えた動力設備システムの制御方法であって、
前記動力設備が駆動している間には前記電磁接触器の前記接点がＯＮとなり、前記動力設備が停止している間には前記電磁接触器の前記接点がＯＦＦとなるように制御し、設定周期ごとに前記電磁接触器の前記接点がＯＮであるかＯＦＦであるかを接点状態としてメモリに記憶し、前記不足電圧継電器からの前記異常信号が出力された場合、前記メモリに記憶されている前記接点状態に基づいて前記電磁接触器を制御するステップを備え、
前記電磁接触器を制御するステップでは、
前記メモリに記憶されている前記接点状態がＯＮの場合には、前記電磁接触器の前記接点をＯＦＦからＯＮへ切り替えることで、前記動力設備を再駆動し、
前記メモリに記憶されている前記接点状態がＯＦＦの場合には、前記電磁接触器の前記接点をＯＦＦのままにしておくことで、前記動力設備を停止したままとする
動力設備システムの制御方法。